(57)【要約】【課題】  杓子とヘラの両機能を並存させて、汁物やカレーなどの調理物を不自由なく掬いとることができるばかりか、調理物が残り少なくなったときは掻き集めることができ、しかもフライパンや鍋等の容器形状に左右されずに綺麗に掻き集め片付けることが可能で、さらには最後に掬い体にへばり付いた半流動調理物をも綺麗に回収できる玉杓子を提供する。【解決手段】  掬い体１に柄体４が連結される玉杓子にあって、該掬い体１の中凹み形状に形成される本体部２が、ゴム製又は樹脂製にして、剛性を有し中凹み形状を保持できる厚みｔ１のある保形部２ａと、少なくとも外周縁を含む一部の領域で、該保形部の厚みｔ１よりも薄肉の厚みｔ２にして可撓性を有し弾性変形が可能な弾性部２ｂとで形成され、且つ該保形部と該弾性部が同材料で一体成形されてなる。【選択図】  図１
2007195645.tif 000002
【特許請求の範囲】
【請求項１】
掬い体(１)に柄体(４)が連結される玉杓子にあって、該掬い体(１)に中凹み形状の本体部(２)を設け、且つ、該本体部(２)が、剛性を有し中凹み形状を保持できる保形部(２ａ)と、少なくとも外周縁を含む一部の領域で可撓性を有し弾性変形が可能な弾性部(２ｂ)と、を具備することを特徴とする玉杓子。
【請求項２】
掬い体(１)に柄体(４)が連結される玉杓子にあって、該掬い体(１)の中凹み形状に形成される本体部(２)が、ゴム製又は樹脂製にして、剛性を有し中凹み形状を保持できる厚み(ｔ１)のある保形部(２ａ)と、少なくとも外周縁を含む一部の領域で、該保形部の厚み(ｔ１)よりも薄肉の厚み(ｔ２)にして可撓性を有し弾性変形が可能な弾性部(２ｂ)とで形成され、且つ該保形部と該弾性部が同材料で一体成形されてなることを特徴とする玉杓子。
【請求項３】
前記弾性部(２ｂ)が中凹み形状に形成される前記本体部(２)の一側縁(２１)及び前端部位の外周縁(２３)を含んで所定幅で連続して帯状に形成されるようにした請求項２記載の玉杓子。
【請求項４】
前記柄体(４)の把持部(４０)に通孔が形成される一方、該通孔に嵌入して該把持部に着脱自在に取付けられ、一端に可撓性を有し弾性変形可能な扁平板状部(６ａ)が形成されたスクレーパ(６)をさらに具備するようにした請求項３記載の玉杓子。
【発明の詳細な説明】
【技術分野】
【０００１】
本発明は台所用品の玉杓子に関する。
【背景技術】
【０００２】
玉杓子は台所の調理用具として、飯を盛ったり汁を掬ったりする道具として用いられている。一般的には、金属製で底が丸く中凹みの掬い体に柄がついた形状とする。この玉杓子は汁物を掬ったりするのに都合がよく、またカレーやシチューなどの粘性がある料理を掬い取るのにも便利である。しかし、従来の玉杓子は、カレーなどの粘性のある半流動調理物に対して、容器の鍋などに残ったものを最後まで綺麗に掬い取るのが難しかった。容器に残ったカレーなどの半流動調理物は、玉杓子を使っても集めづらく、スプーンやスパチュラ等のヘラを用いて掻き集めるしかなかった。こうしたことから、斯かる不具合を改善する技術が提案されている（例えば特許文献１）。
【０００３】
【特許文献１】登録実用新案第３０９８５９２号公報(１頁〜３頁、第１図〜第４図)
【発明の開示】
【発明が解決しようとする課題】
【０００４】
しかしながら、特許文献１の技術は、「掬い体の先端形状が両隅部を除いて直線形状にした調理用レードル」であって、鍋底やフライパンの底面にその直線形状した部分を当接させて半流動食を掬い取るのに便利であっても、フライパンや鍋の底から立壁にいたる曲がった角部に残る半流動調理物を掬い取るのは不可能であった。
また特許文献１のレードルは掬い体をシリコン樹脂製として、容器の曲面形状を有する内周面に対しても隙間なくレードルを接することができるとしているが、ヘラの機能を高めると掬い体の機能が低下する問題があった。特許文献１の段落００１２で、「…肉厚が薄すぎると掬い体の剛性が低下し、力を込めて調理物を掻き回す際にレードルの表裏が反転してしまう虞がある。一方、厚くし過ぎると重量が増加して取り扱いが不便になると共に、価格も上昇してしまう。したがって、掬い体の各部の肉厚は、使用するシリコン樹脂材料と形状寸法を特定して試作実験を経て決定される。」とあるように、肉厚が薄くなると調理物を掻き回す際にレードルの表裏が反転してしまう不具合があり、一方、厚くなると容器の曲面形状を有する内周面に対しても隙間なくレードルを接することができなくなるといった問題があった。斯かる相反するような課題を克服するのは無理があった。
また、フライパンや鍋の立壁部分にある調理物を掻き集めるのが難しく、さらにフライパンや鍋の底から立壁にいたる曲がった角部に残る半流動調理物を掻き集める際、フライパンと鍋とでは底から立壁につながる角部の形状を異にしており、種々の容器形状にレードルを密着対応させて掬い取ることも難しかった。
加えて、特許文献１ではレードルの掬い体に掻き集めた半流動調理物が残り、これを綺麗に取るのは困難を極めた。最後までレードルにへばり付いた半流動調理物はシンクに流してしまうこともできるが、回収できるはずの半流動調理物を捨てることになり、また下水処理の負荷を高めるなど環境にもやさしくなかった。
【０００５】
本発明は上記問題点を解決するもので、杓子とヘラの両機能を並存させて、汁物やカレーなどの調理物を不自由なく掬いとることができるばかりか、調理物が残り少なくなったときは掻き集めることができ、しかもフライパンや鍋等の容器形状に左右されずに綺麗に掻き集め片付けることが可能で、さらには最後に掬い体にへばり付いた半流動調理物をも綺麗に回収できる玉杓子を提供することを目的とする。
【課題を解決するための手段】
【０００６】
上記目的を達成すべく、請求項１に記載の発明の要旨は、掬い体(１)に柄体(４)が連結される玉杓子にあって、該掬い体(１)に中凹み形状の本体部(２)を設け、且つ、該本体部(２)が、剛性を有し中凹み形状を保持できる保形部(２ａ)と、少なくとも外周縁を含む一部の領域で可撓性を有し弾性変形が可能な弾性部(２ｂ)と、を具備することを特徴とする玉杓子にある。
ここで、「中凹み形状を保持できる」は、人が力を入れて鍋等に付いた調理物を掻き回したり掻き集めたりしても、中凹みの掬い体の本体部が多少の変形や凹むことがあっても反転することがなく、掬い体としての中が凹んだ状態を保持できれば、「中凹み形状を保持できる」を充足するものとする。反転しなければ、凹み部分が確保されており、汁物等を掬い取る杓子としての機能及び残り物の半流動調理物等を掻き集めて本体部に収納できるヘラとしての機能を満たすからである。
請求項２に記載の発明の要旨は、掬い体(１)に柄体(４)が連結される玉杓子にあって、該掬い体(１)の中凹み形状に形成される本体部(２)が、ゴム製又は樹脂製にして、剛性を有し中凹み形状を保持できる厚み(ｔ１)のある保形部(２ａ)と、少なくとも外周縁を含む一部の領域で、該保形部の厚み(ｔ１)よりも薄肉の厚み(ｔ２)にして可撓性を有し弾性変形が可能な弾性部(２ｂ)とで形成され、且つ該保形部と該弾性部が同材料で一体成形されてなることを特徴とする玉杓子にある。
請求項３の発明たる玉杓子は、請求項２で、弾性部(２ｂ)が中凹み形状に形成される前記本体部(２)の一側縁(２１)及び前端部位の外周縁(２３)を含んで所定幅で連続して帯状に形成されるようにしたことを特徴とする。
請求項４の発明たる玉杓子は、請求項３で、柄体(４)の把持部(４０)に通孔が形成される一方、該通孔に嵌入して該把持部に着脱自在に取付けられ、一端に可撓性を有し弾性変形可能な扁平板状部(６ａ)が形成されたスクレーパ(６)をさらに具備するようにしたことを特徴とする。
【０００７】
請求項１の発明のごとく、剛性を有し中凹み形状を保持できる保形部(２ａ)と、少なくとも外周縁を含む一部の領域で可撓性を有し弾性変形が可能な弾性部(２ｂ)と、を具備すると、杓子とヘラの両機能を並存させて、汁物やカレーなどの調理物を不自由なく掬いとる杓子として使える他、調理物が残り少なくなった時は弾性部で掻き集めることができる。杓子とヘラの両機能を並存する玉杓子になる。
請求項２の発明のごとく、本体部(２)が、ゴム製又は樹脂製にして、剛性を有し中凹み形状を保持できる厚み(ｔ１)のある保形部(２ａ)と、少なくとも外周縁を含む一部の領域で、該保形部の厚み(ｔ１)よりも薄肉の厚み(ｔ２)にして可撓性を有し弾性変形が可能な弾性部(２ｂ)とで形成されると、本体部は基本的に保形部と弾性部の厚みを変えて造るだけで済むので、簡単に成形できる。
請求項３の発明のごとく、弾性部(２ｂ)が本体部(２)の一側縁(２１)及び前端部位の外周縁(２３)を含んで所定幅で連続して帯状に形成されると、該弾性部は一側縁(２１)から前端部位の外周縁へとカーブ形成される結果、鍋などの角部へ密着し易くなり、鍋などの角部に付いた調理物も楽に掻き集めることができる。
請求項４の発明のごとく柄体(４)の把持部(４０)に通孔が形成される一方、該通孔に嵌入して該把持部に着脱自在に取付けられ、一端に可撓性を有し弾性変形可能な扁平板状部(６ａ)が形成されたスクレーパ(６)をさらに具備すると、このスクレーパを使って掬い体に付着した調理物をも掃除できる。
【発明の効果】
【０００８】
本発明の玉杓子は、これ一つで、汁物やカレーなどの調理物を不自由なく掬いとる杓子の役割を果たすだけでなく、調理物が残り少なくなったときは掻き集めるヘラの役割も果たすことができ、しかも、弾性部の形状選定によって鍋等の容器形状に左右されずに綺麗に掻き集め掃除することが可能で、さらには最後に掬い体に付着した半流動調理物等をもスクレーパを使って綺麗に回収できるなど多大な効を奏する。
【発明を実施するための最良の形態】
【０００９】
以下、本発明に係る玉杓子について詳述する。
（１）実施形態１
図１〜図７は本発明の玉杓子の一形態で、図１はその全体斜視図、図２は図１の掬い体部分の平面図、図３は図２のI-I線矢視図、図４は図２のII-II線矢視図、図５は柄体部分の拡大斜視図である。図６は図１〜図５の玉杓子とは異なる別態様図で、図２に対応するものである。図７は図１の玉杓子の使用状態を示す説明断面図である。
【００１０】
玉杓子は掬い体１と柄体４とを具備し、掬い体１に柄体４が連結される。ここでの掬い体１は中凹み形状の本体部２と該本体部２から突設する突出部３とを備える。
本体部２は図１，図３のごとく底が丸い中凹みの椀形とし、汁物やカレー等を掬える掬い体１としての役目を担う。該本体部２２は底が丸い中凹みの椀形としながらも、前端部位に直線部分２４を形成し、さらに該直線部分２４から中凹み形状たる本体部２の最凹み地点２０１の手前まで平らな傾斜面２５を形成した椀形とする。図中、×印は最凹み地点２０１を便宜的に示すマークである。前端部位に直線部分２４を形成して、フライパンや鍋８の内底８０ａの平面にある調理物を掻き集め易くする(図７)。また傾斜面２５を形成し、該傾斜面２５をフライパン底等の内平面に近づけて調理物を掻き集めることを可能にし、使い勝手を良くする。
【００１１】
本体部２はゴム製又は樹脂製の成形品で、剛性を有し中凹み形状を保持できる保形部２ａと、少なくとも外周縁を含む一部の領域で可撓性を有し弾性変形が可能な弾性部２ｂと、から構成される。詳しくは、中凹み形状に形成される本体部２が、剛性を有し中凹み形状を保持できる厚みｔ１のある保形部２ａと、少なくとも外周縁を含む一部の領域で、該保形部２ａの厚みｔ１よりも薄肉の厚みｔ２にして可撓性を有し弾性変形が可能な弾性部２ｂとで形成される。保形部２ａと弾性部２ｂは同材料で一体成形される。具体的には保形部２ａの厚みを２mm〜４mmの範囲に設定し、弾性部２ｂの厚みを０.１ｍｍ〜２ｍｍの範囲とする。弾性部２ｂは保形部２ａの厚みよりも薄くし、弾性変形可能にして可撓性をもたせる。勿論、弾性部２ｂの領域の全てで厚みが一定である必要はない。
保形部２ａと弾性部２ｂとは厚みが違うため、その境界に段差２７ができる。段差２７は本体部２の外面側でも構わないが、本実施形態のごとく本体部２の内面側に形成するのがより好ましい。本体部２の外側に段差２７を設けると、フライパン内底の平らな面にある調理物を掻き集める際、段差２７がつくる隙間でうまく掻き集められない場合があるからである。
【００１２】
本体部２は既述のごとくゴム製又は樹脂製とするが、料理用具として使用可能で且つ料理が熱いうちにでも使えるよう耐熱性材料で構成されるのが好ましい。具体的には、耐熱性に優れるシリコーンゴム等のゴム材料、ポリプロピレン,フッ素樹脂等の熱可塑性樹脂、弾性率が高く耐熱性が大きい変性ＰＰＥ(変性ＰＰＯ)等のエンジニアリングプラスチック、ポリスチレン系,ポリオレフィン系等の熱可塑性エラストマーなどの樹脂材料である。熱可塑性エラストマーは常温でゴム弾性体の性質を示す高分子材料であり、弾性部２ｂに弾性変形が要求される本体部２により好ましい材料となる。
【００１３】
前記弾性部２ｂは本体部２の一側縁２１から前端部位の外周縁２３に至るまで所定幅で連続して帯状に形成される該本体部２の主構成部分である。本体部２の一側縁２１及び前端部位の外周縁２３を含んで最凹み地点２０１へ向かう幅で帯状に形成する所定帯幅は０.５cm〜２cmの範囲とする。本体部２の一側縁２１に可撓性をつくる帯幅の弾性部２ｂが設けられることで、鍋８の立壁８１に密着させて、該立壁に付いた調理物を綺麗に掻き集めることができる。また弾性部２ｂが本体部２の一側縁２１及び前端部位の外周縁２３を含んで連続形成されることから、フライパンや鍋８の底８０から立壁８１に至る曲がった角部８２に残る味の決め手になるソースなどの半流動調理物をも残さずに掻き集めて皿に盛ることができる。
本体部２の一側縁２１の一部及び前端部位の外周縁２３の一部を含めば、上記効果を発揮するが、本実施形態の弾性部２ｂは、図２に示すごとく本体部２の一側縁２１(同図の右側縁)の大半及び前端部位の外周縁２３の過半部分を占めるようにして、上記効果をより高めるようにしている。本体部２の周縁のうち、１／２〜２／３の割合を弾性部２ｂに割り当てると、該弾性部をヘラとして使う際の使い勝手が一段と良くなる。
【００１４】
前記保形部２ａは剛性を有し中凹み形状を保持できる椀形形成部で、本体部２のうち前記弾性部２ｂに形成した以外の他側縁２３を含めた全ての領域を占める本体部２の主構成部分である。保形部２ａはその厚みを２mm〜４mmの範囲に設定し、人が力を入れて鍋８等に付いた調理物を掻き集める際、中凹みＳの掬い体１の本体部２が多少の変形や凹むことがあっても反転しないようにする。反転しないため、掻き集めた調理物をそのままうまく中凹みＳの本体部２内に収容できる。
保形部２ａの形成によって人が力を入れて鍋８等に付いた調理物を掻き回したり掻き集めたりした際、中凹みＳの本体部２が多少の変形や凹むことがあっても反転することがなくなり、中が凹んだ状態を保持でき、汁物等を掬い取れるだけでなく、弾性部２ｂにヘラの機能を発揮させ、残り物の半流動調理物等を掻き集めたときに本体部２内にうまく収納できる。保形部２ａに関しては、図１〜図５のごとく、少なくとも最凹み地点２０１を含んで且つ本体部２の過半以上を占有して中凹み形状を保持させるのがより好ましい。保形部２ａは本体部２の少なくとも最凹み地点２０１を含んで且つ本体部２の過半以上を占有させると、原形の本体部２に近い中凹み形状を確保し、フライパン等の容器に残った半流動調理物等を効率よく掻き集め、そのまま円滑に中凹みＳへ収容できるからである。
例えば図６の玉杓子は図２の玉杓子よりも弾性部２ｂの幅を大きくして、より可撓性を向上させて立壁８１に付いた調理物をより綺麗に掻き集め、また鍋８等の底から立壁８１にいたる角部８２に残る半流動調理物をもより効率よく掻き集めることができるようにした玉杓子である。ここで、保形部２ａは本体部２の少なくとも最凹み地点２０１を含んで且つ本体部２の過半以上を占有させることによって、ヘラとして使った際、本体部２の一部が凹んでも原形の本体部２に近い中凹み形状が確保されていることから、弾性部２ｂのヘラ機能部分で掻き取った料理品をそのまま中凹みＳへ的確に収納できる。図６の鎖線部分まで弾性部２ｂの範囲が広がっても、保形部２ａは本体部２の少なくとも最凹み地点２０１を含んで且つ本体部２の過半以上を占有すれば、原形の本体部２に近い中凹み形状が確保され好適となる。
【００１５】
突出部３は本体部２の外周縁の一部から外方へ延設する棒状突起で、柄体４との連結部として形成される。突出部３と前記本体部２は同材料にして一体成形される。
【００１６】
柄体４は玉杓子の柄の部分で、断面扁平四角形の棒状体に形成される樹脂成形品である。柄体４は、その基端部に嵌合孔を設け、該嵌合孔へ前記突出部３の先端部分３１が嵌入,固定されて、文字通り玉杓子の柄体４になる。
柄体４の把持部４０には平面視で細長四角形の通孔４１が形成される(図１,図５)。そして、平面視が細長四角形の板状片にして、一端に可撓性を有し弾性変形可能な扁平板状部６ａが形成されたスクレーパ６を別途備える。通孔４１内には隆起する小突起４２が設けられ、小型スプーンほどの大きさのスクレーパ６は通孔４１に嵌入して把持部４０に着脱自在に取付けられる。スクレーパ６は通孔４１への嵌入時に小突起４２に係止され保持される。スクレーパ６は把持部４０の通孔４１内に納まるので、把持部４０を手に持ったときも違和感はない。符号４９は玉杓子の吊し用孔を示す。
【００１７】
このように構成された玉杓子は中凹み形状の本体部２が形成されるので、汁物やカレーなどの調理物を不自由なく掬いとる杓子として用いることができる。そして、該本体部２に係る少なくとも外周縁を含む一部の領域で可撓性を有し弾性変形が可能な弾性部２ｂを備えるので、この弾性部２ｂでヘラとしての機能を発揮させることができる。調理物が残り少なくなったときは、汎用スパチュラ等を用いなくとも、弾性部２ｂを使って鍋８などに付いた調理物を掻き集めることができる。フライパン,鍋等の調理容器の掃除にもなる。
また、本体部２がゴム製又は樹脂製の成形品で、剛性を有し中凹み形状を保持できる厚みｔ１のある保形部２ａと、少なくとも外周縁を含む一部の領域で、該保形部２ａの厚みｔ１よりも薄肉の厚みｔ２にして可撓性を有し弾性変形が可能な弾性部２ｂとで形成され、且つ該保形部２ａと該弾性部２ｂが同材料で一体成形されるので、玉杓子を低コストで製造できる。厚みを変えるだけで保形部２ａと弾性部２ｂの切り替えができるので、種々の形をした品揃えも簡単である。
弾性部２ｂが中凹み形状に形成された本体部２の前端部位に形成されるので、フライパンや鍋の内底面８０ａに残った調理物を掻き集めることが容易になる。また弾性部２ｂが本体部２の一側縁２１にも形成されるので、フライパンや鍋の立壁８１に付いた調理物を掻き集めることができる。加えて、弾性部２ｂが一側縁２１及び前端部位の外周縁２３を含んで所定幅で連続して帯状に形成されるので、フライパンや鍋８の底内面８０ａから立壁８１に向かう角部８２に溜まった半流動調理物等も綺麗に掻き集めることができる。フライパンや鍋８の角部８２は形状が異なるが、本弾性部２ｂがその一側縁２１から前端部位の外周縁２３に至るまで所定幅で連続して曲面帯状に形成されるので、フライパンや鍋の角部８２の形状が異なっても、各角部８２にうまくフィットして、角部周りに付いた半流動調理物等を残さず掻き集めることができる。図７に示すごとく、底内面８０ａから立壁８１へ急激な立ち上がりをみせる鍋８にあっても、弾性部２ｂが立壁８１からの矢印方向の反力を受け、鎖線状態から角部８２にフィットする形状へと変化して角部８２に密着するため、フライパンや鍋８等の容器形状に左右されずに半流動調理物等を掻き集め、綺麗に片付けることが可能である。へばり付いた半流動調理物等の調理物も綺麗に回収でき、極めて重宝な玉杓子になっている。しかも、掻き集めて本体部２の中凹みに残った調理物は、柄体４に取付けられたスクレーパ６で掻き落し、最後の調理物まで確実に回収できる玉杓子になっている。食材を無駄にしないばかりか、シンクを汚さず環境にもやさしい玉杓子となる。
可撓性を有して鍋８等の容器の角部８２等に密着した弾性部２ｂも、弾性変形の範囲内で変形し、容器から離れれば元の形に復元するので支障はない。
【００１８】
（２）実施形態２
本実施形態は図８,図９ごとくの玉杓子である。掬い体１に実施形態１の突出部３を設けず、代わりに本体部２の後端側に小孔２６を設ける。柄体４の金属製基軸４ａの先端部位に透孔を形成し、該透孔を前記小孔２６に合わせた後、リベット５で柄体４を掬い体１に固着,連結する。ここでは、本体部２がそのまま掬い体１を形成する。該本体部２は図示のごとく浅い半球状中凹みとする。弾性部２ｂは前端部位の外周縁２３の全域を含み、その両サイドを本体部２の両側縁へと延設し、本体部２の両側縁(一側縁２１と他側縁２２）及び前端部位の外周縁２３を含んで所定幅で連続して帯状に形成されるようにしている。
柄体４は前記基軸４ａに樹脂製把手４ｂを一体化したものである。把手４ｂの把持部４０に通孔４１を形成する一方、該通孔４１に嵌入して把持部４０に着脱自在に取付けられるスクレーパ６を設ける。スクレーパ６の一端には可撓性を有し弾性変形可能な扁平板状部６ａが形成される。他の構成は実施形態１と同様でその説明を省く。実施形態１と同一符号は同一又は相当部分を示す。
このように構成した玉杓子は、弾性部２ｂが前端部位の外周縁２３の全てを含んで帯状に形成されているので、前端部位の部分をフライパンや鍋底８０等の内底面８０ａに当てがい、そこにある半流動調理物等の調理物を一段と綺麗に回収できる。他の作用,効果は実施形態１と同様でその説明を省略する。
【００１９】
（３）実施形態３
本実施形態は図１０,図１１ごとくの玉杓子である。実施形態２の変形体で、弾性部２ｂは図１０の下側に位置する本体部２の一側縁２１の略全域を含め、その一端を前端部位の外周縁２３に延設し、所定幅で連続して帯状に形成されるようにしている。また、把持部４０には通孔４１を設けない代り、スクレーパ６に凸部６３を設け、該スクレーパの通孔４１への嵌入時にスクレーパ６を係止できるようにする。他の構成は実施形態２と同様でその説明を省く。実施形態２と同一符号は同一又は相当部分を示す。
このように構成した玉杓子は、弾性部２ｂが一側縁２１のほぼ全域を含んで帯状に形成されているので、鍋８の立壁８１に付着した半流動調理物等をより一層綺麗に回収できる。他の作用,効果は実施形態２と同様でその説明を省略する。
【００２０】
（４）実施形態４
本実施形態は図１２,図１３ごとくの玉杓子である。本実施形態は保形部２ａと弾性部２ｂとの厚みを変えずに材質を変えて、保形部２ａに剛性をもたせる一方、弾性部２ｂに可撓性をもたせ弾性変形が可能にする。保形部２ａと弾性部２ｂが同じ厚みであっても、保形部２ａに高硬度の材料を選定し剛性を高める一方、弾性部２ｂには柔軟性,弾性の高い材料を選定する。保形部２ａと弾性部２ｂは例えば樹脂材料の場合、互いに相溶性の高い樹脂材料が選定され、二色成形等で一体成形されると、両者の一体化が確実となりより好ましく、また低コスト化が図れる。符号Ｍは保形部２ａと弾性部２ｂとの接合ラインを示し、該接合ラインでは実施形態１のような段差２７はみられない。他の構成は実施形態１と同様でその説明を省く。
このように構成した玉杓子は、材料を違えて保形部２ａと弾性部２ｂを形成するので、両者の厚みを同じにすることができる。その結果、実施形態１のような段差２７が生まれず見栄えが良好になる。他の作用,効果は実施形態１と同様でその説明を省く。
【００２１】
尚、本発明においては前記実施形態に示すものに限られず、目的,用途に応じて本発明の範囲で種々変更できる。掬い体１,本体部２,保形部２ａ,弾性部２ｂ,突出部３,柄体４,スクレーパ６等の形状,大きさ,材質等は用途に合わせて適宜選択できる。例えば、実施形態１では右利き用に図１の右側の一側縁２１を弾性部２ｂにあてたが、これに代えて左側に弾性部２ｂの一側縁２１を設けることもできる。
【図面の簡単な説明】
【００２２】
【図１】実施形態１の玉杓子の全体斜視図である。
【図２】図１の掬い体部分の平面図である。
【図３】図２のI-I線矢視図である。
【図４】図２のII-II線矢視図である。
【図５】柄体部分の拡大斜視図である。
【図６】図１〜図５の玉杓子とは異なる別態様図で、図２に対応する平面図である。
【図７】図１の玉杓子の使用状態を示す説明断面図である。
【図８】実施形態２の玉杓子の平面図である。
【図９】図８の掬い体周りの要部断面図である。
【図１０】実施形態３の玉杓子の平面図である。
【図１１】図１０の掬い体周りの要部断面図である。
【図１２】実施形態４の玉杓子の全体斜視図である。
【図１３】図１２の掬い体部分の平面図である。
【符号の説明】
【００２３】
１            掬い体
２            本体部
２ａ          保形部
２ｂ          弾性部
２０１        最凹み地点
２１          一側縁
２３          前端部位の外周縁
４            柄体
４０          把持部
４１          通孔
６            スクレーパ
６ａ          扁平板状部
Ｓ            中凹み
【図１】
2007195645.tif 000003
【図２】
2007195645.tif 000004
【図３】
2007195645.tif 000005
【図４】
2007195645.tif 000006
【図５】
2007195645.tif 000007
【図６】
2007195645.tif 000008
【図７】
2007195645.tif 000009
【図８】
2007195645.tif 000010
【図９】
2007195645.tif 000011
【図１０】
2007195645.tif 000012
【図１１】
2007195645.tif 000013
【図１２】
2007195645.tif 000014
【図１３】
2007195645.tif 000015